(57)【特許請求の範囲】
【請求項１】
一又は複数の可溶体部を有する略板状の第一ヒューズ回路構成体及び第二ヒューズ回路構成体と、前記第一ヒューズ回路構成体及び前記第二ヒューズ回路構成体を連結する回路体連結板と、前記第一ヒューズ回路構成体又は前記第二ヒューズ回路構成体に連成される端子接続部と、を有する導電性のバスバーを備えるとともに、
前記第一ヒューズ回路構成体及び前記第二ヒューズ回路構成体にそれぞれインサート成形される絶縁性のハウジングを備えて構成され、
前記第一ヒューズ回路構成体と前記回路体連結板との連結部分で折り曲げを施すとともに、前記第二ヒューズ回路構成体と前記回路体連結板との連結部分で折り曲げを施すと、前記第一ヒューズ回路構成体と前記第二ヒューズ回路構成体とが対向する配置となるヒュージブルリンクユニットにおいて、
前記回路体連結板は、該回路体連結板の幅方向の一方の縁部から、或いは両方の縁部からのびて表面積を拡大し、前記バスバーの放熱を図る放熱部を一体に有し、
前記バスバーに折り曲げが施されると、第一ヒューズ回路構成体と第二ヒューズ回路構成体とが対向するように形成され、
前記放熱部は、対向する前記第一ヒューズ回路構成体と前記第二ヒューズ回路構成体との間側となる方向にのびるように形成され、前記第一ヒューズ回路構成体及び前記第二ヒューズ回路構成体が当接する、或いは、前記ハウジングが当接する折り曲げ量規制部分を有する
ことを特徴とするヒュージブルリンクユニット。
【請求項２】
請求項１に記載のヒュージブルリンクユニットにおいて、
前記放熱部は、該放熱部から折り曲げによって前記幅方向にのびる第二放熱部を有する
ことを特徴とするヒュージブルリンクユニット。
【請求項３】
請求項１に記載のヒュージブルリンクユニットにおいて、
前記放熱部は、間隔をあけて前記回路体連結板に折り重なるような帯状の形状に形成される
ことを特徴とするヒュージブルリンクユニット。
【発明の詳細な説明】
【技術分野】
【０００１】
本発明は、自動車等のバッテリーにケーブルを介することなく接続される、バッテリー直付けタイプのヒュージブルリンクユニットに関する。
【背景技術】
【０００２】
図７において、下記特許文献１に開示されたヒュージブルリンクユニットは、導電性を有する金属板を打ち抜いて折り曲げ加工してなるバスバー１を有している。このバスバー１は、略中央部に回路体連結板２を有するとともに、回路体連結板２のバスバー長手方向両側に第一ヒューズ回路構成体３及び第二ヒューズ回路構成体４を有している。回路体連結板２と第一ヒューズ回路構成体３及び第二ヒューズ回路構成体４は、一対の折り曲げ溝５を介して連結されている。バスバー１は、一対の折り曲げ溝５の位置で折り曲げを施すことにより平面視略コ字状となるように形成されている。一対の折り曲げ溝５は、薄肉化されており、ヒンジ状となる形状に形成されている。
【０００３】
回路体連結板２は、この回路体連結板２の幅方向の一方の縁部にオルタネータ用の端子接続部６が連成されている。端子接続部６の配置は一例であり、ヒュージブルリンクユニットの仕様によっては、第一ヒューズ回路構成体３又は第二ヒューズ回路構成体４に連成されるようにもなっている。第一ヒューズ回路構成体３には、可溶体部（ヒューズエレメント）７及び複数の可溶体部８が形成されている。また、第二ヒューズ回路構成体４にも同様に、複数の可溶体部８が形成されている。
【０００４】
このようなバスバー１の第一ヒューズ回路構成体３及び第二ヒューズ回路構成体４には、ヒュージブルリンクユニットを構成するハウジングがそれぞれインサート成形によって設けられている（図示省略）。各ハウジングは、合成樹脂製で絶縁性を有している。各ハウジングは、可溶体部８等を除く第一ヒューズ回路構成体３及び第二ヒューズ回路構成体４の大半をモールドするように成形されている。各ハウジングには、ハウジング同士を係止するための係止突起部又は突起係止部が形成されている。
【特許文献１】特開２００４−１８６００６号公報
【発明の開示】
【発明が解決しようとする課題】
【０００５】
ところで、上記従来技術にあっては、バスバー１の第一ヒューズ回路構成体３及び第二ヒューズ回路構成体４の大半がハウジングによってモールドされる構造であることから、次のような問題点を有している。すなわち、通常の通電時であっても発熱する可溶体部７、８周辺の露出空間は体積が小さい為、熱がこもり温度上昇し易くなる構造となることから、可溶体部７、８の溶断特性に影響を来す恐れがあるという問題点を有している。
【０００６】
また、上記従来技術にあっては、一対の折り曲げ溝５の位置で折り曲げを施すことによりバスバー１が平面視略コ字状となるように形成される構造であることから、次のような問題点を有している。すなわち、バスバー１は、折り曲げを施し易くするために、一対の折り曲げ溝５の溝深さを深く形成するようになっており、これによってハウジングを矩形に係止する段階で対向し合う第一ヒューズ回路構成体３及び第二ヒューズ回路構成体４の位置が変わり易くなってしまうことから、結果、ハウジング同士を矩形に係止する係止作業性に影響を来す恐れがあるという問題点を有している。
【０００７】
本発明は、上述した事情に鑑みてなされたもので、温度上昇を抑制することが可能であり、また、ハウジング同士の係止作業性を安定させることが可能なヒュージブルリンクユニットを提供することを課題とする。
【課題を解決するための手段】
【０００８】
上記課題を解決するためになされた請求項１記載の本発明のヒュージブルリンクユニットは、一又は複数の可溶体部を有する略板状の第一ヒューズ回路構成体及び第二ヒューズ回路構成体と、前記第一ヒューズ回路構成体及び前記第二ヒューズ回路構成体を連結する回路体連結板と、前記第一ヒューズ回路構成体又は前記第二ヒューズ回路構成体に連成される端子接続部と、を有する導電性のバスバーを備えるとともに、前記第一ヒューズ回路構成体及び前記第二ヒューズ回路構成体にそれぞれインサート成形される絶縁性のハウジングを備えて構成され、前記第一ヒューズ回路構成体と前記回路体連結板との連結部分で折り曲げを施すとともに、前記第二ヒューズ回路構成体と前記回路体連結板との連結部分で折り曲げを施すと、前記第一ヒューズ回路構成体と前記第二ヒューズ回路構成体とが対向する配置となるヒュージブルリンクユニットにおいて、前記回路体連結板は、該回路体連結板の幅方向の一方の縁部から、或いは両方の縁部からのびて表面積を拡大し、前記バスバーの放熱を図る放熱部を一体に有し、前記バスバーに折り曲げが施されると、第一ヒューズ回路構成体と第二ヒューズ回路構成体とが対向するように形成され、前記放熱部は、対向する前記第一ヒューズ回路構成体と前記第二ヒューズ回路構成体との間側となる方向にのびるように形成され、前記第一ヒューズ回路構成体及び前記第二ヒューズ回路構成体が当接する、或いは、前記ハウジングが当接する折り曲げ量規制部分を有することを特徴としている。
【０００９】
このような特徴を有する本発明によれば、回路体連結板からのびる放熱部を有することにより、バスバーの露出する面積、すなわち表面積が増える。バスバーは、通電時に放熱部を介して空気中への放熱が進み、これによって温度上昇の抑制に寄与する。放熱部は、回路体連結板の幅方向の一方の縁部だけでなく両方の縁部に連成することで、露出する面積がより大きくなる。
また、本発明によれば、対向する第一ヒューズ回路構成体と第二ヒューズ回路構成体との間に放熱部を配置しても、ヒュージブルリンクユニットが若干大型化することはない。
さらに、本発明によれば、折り曲げを施すと、第一ヒューズ回路構成体及び第二ヒューズ回路構成体、或いはハウジングが放熱部の折り曲げ量規制部に当接する。これにより、必要以上に第一ヒューズ回路構成体及び第二ヒューズ回路構成体同士が近づくことはなく、ハウジング同士の係止状態も良好に維持される。
【００１４】
請求項２記載の本発明のヒュージブルリンクユニットは、請求項１に記載のヒュージブルリンクユニットにおいて、前記放熱部は、該放熱部から折り曲げによって前記幅方向にのびる第二放熱部を有することを特徴としている。
【００１５】
このような特徴を有する本発明によれば、第二放熱部により露出する面積が増大し、空気中への放熱が進んで温度上昇が一層抑制される。
【００１６】
請求項３記載の本発明のヒュージブルリンクユニットは、請求項１に記載のヒュージブルリンクユニットにおいて、前記放熱部は、間隔をあけて前記回路体連結板に折り重なるような帯状の形状に形成されることを特徴としている。
【００１７】
このような特徴を有する本発明によれば、露出する面積がより大きな放熱部になる。放熱部を内側に折り重ねるようにすると、ヒュージブルリンクユニットの大型化が避けられる。一方、外側に折り重ねるようにすると、熱がヒュージブルリンクユニット内にこもり難くなり、放熱効果の向上が見込める。放熱部を内側、外側の両方に折り重ねると、より効果的である。
【発明の効果】
【００１８】
請求項１に記載された本発明によれば、ヒュージブルリンクユニットの温度上昇を抑制することができることができ、ヒュージブルリンクユニットの大型化防止や放熱効果の向上を図ることができ、ハウジング同士の係止状態を良好に維持することができるという効果を奏する。
【００２１】
請求項２に記載された本発明によれば、ヒュージブルリンクユニットの温度上昇をより一層効果的に抑制することができるという効果を奏する。
【００２２】
請求項３に記載された本発明によれば、ヒュージブルリンクユニットの大型化防止や放熱効果の向上を図ることができるという効果を奏する。
【発明を実施するための最良の形態】
【００２３】
以下、図面を参照しながら説明する。図１は本発明のヒュージブルリンクユニットの一実施の形態を示す分解斜視図である。また、図２はハウジング同士、第一ヒューズ回路構成体及び第二ヒューズ回路構成体同士を対向させる前のヒュージブルリンクユニットの状態を示す斜視図である。さらに、図３（ａ）はバスバーの展開図、図３（ｂ）は放熱部のＡ−Ａ線断面図である。
【００２４】
図１及び図２において、引用符号２１は、自動車等のバッテリー（図示省略）にケーブル（図示省略）を介することなく接続される、バッテリー直付けタイプのヒュージブルリンクユニットを示している。このヒュージブルリンクユニット２１は、導電性を有する金属板を打ち抜いて（図３（ａ）参照）折り曲げ加工してなるバスバー２２と、絶縁性を有する合成樹脂材料を用いてのインサート成形によりバスバー２２の所定部分をモールドする第一ハウジング２３及び第二ハウジング２４と、絶縁性を有する合成樹脂製のカバー２５〜２７とを備えて構成されている。
【００２５】
ヒュージブルリンクユニット２１は、バッテリーターミナル用の端子接続部２８を介してバッテリーターミナル（図示省略）に接続されるようになっている。端子接続部２８は、バッテリーターミナルの図示しないスタッドボルトとナットとの締め付けによって接続及び固定されるようになっている。また、ヒュージブルリンクユニット２１は、オルタネータ用の端子接続部２９にケーブル端末の端子（図示省略）が接続されるようになっている。ケーブル端末の端子は、ボルト３０と図示しないナットとにより締め付けられ、接続及び固定がなされるようになっている。
【００２６】
ヒュージブルリンクユニット２１は、これ自身の温度上昇を抑制することが可能であり、また、第一ハウジング２３及び第二ハウジング２４同士の係止状態を安定させることが可能な構造を有している。このような構造に関しては、バスバー２２に特徴があり、以下に説明する。
【００２７】
図３において、バスバー２２は、第一ヒューズ回路構成体３１及び第二ヒューズ回路構成体３２と、これらを連結するとともに略中央に配置される回路体連結板３３と、第二ヒューズ回路構成体３２に連成される上記の端子接続部２８、２９（図１及び図２参照）とを有している。バスバー２２は、第一ヒューズ回路構成体３１と回路体連結板３３との連結部分で折り曲げが施されるとともに、第二ヒューズ回路構成体３２と回路体連結板３３との連結部分で折り曲げが施されるようになっている。
【００２８】
バスバー２２は、一対の折り曲げ溝３４の位置で折り曲げが施されることにより平面視略コ字状（従来例の図７が参考になる）となるように形成されている。一対の折り曲げ溝３４は、若干、薄肉化されており、折り曲げ易い形状に形成されている。尚、薄肉化に関しては、従来よりも断面積の減少が抑えられている。この点については後述するものとする。
【００２９】
第一ヒューズ回路構成体３１には、複数の可溶体部（ヒューズエレメント）３５が形成されている。また、第二ヒューズ回路構成体３２にも同様に、複数の可溶体部３５が形成されている。第一ヒューズ回路構成体３１及び第二ヒューズ回路構成体３２の機能等に関しては、基本的に従来例と同様であるものとする。第一ヒューズ回路構成体３１及び第二ヒューズ回路構成体３２は、可溶体部３５を除くこの大半が第一ハウジング２３及び第二ハウジング２４（図１及び図２参照）によってモールドされるようになっている。
【００３０】
回路体連結板３３は、本発明の特徴となる部分を有している。具体的に説明すると、略平板状の回路体連結板３３は、バスバー長手方向両側に第一ヒューズ回路構成体３１及び第二ヒューズ回路構成体３２が折り曲げ溝３４を介して連成される点で従来例と変わりないが、回路体連結板３３の幅方向の両縁部に、この両縁部からそれぞれのびるように折り曲げ形成された一対の放熱部３６を有する点が特徴となっている。
【００３１】
一対の放熱部３６は、バスバー２２の表面積を増大させる部分、言い換えれば第一ハウジング２３及び第二ハウジング２４（図１及び図２参照）により大半がモールドされてしまうバスバー２２の露出する面積を増大させる部分として形成されている。一対の放熱部３６は、バスバー２２への通電時に空気中への放熱を促進させるための部分として形成されている。本形態においては、放熱効果を高めるために、放熱部３６は一対で形成されている（上記幅方向の縁部のいずれか一方に形成しても良いものとする）。一対の放熱部３６を形成することで空気中への放熱が進み、これによって温度上昇を抑制することができるようになっている。
【００３２】
バスバー２２は、上記折り曲げが施されると、第一ヒューズ回路構成体３１と第二ヒューズ回路構成体３２とが対向するようになっており、一対の放熱部３６は、これらの間（又は、第一ハウジング２３と第二ハウジング２４との間）に向けてそれぞれのびるように形成されている（反対側にのびるように形成しても良いものとする）。一対の放熱部３６は、回路体連結板３３の平坦な面に対して直交するように形成されている。また、一対の放熱部３６は、互いが平行となるように形成されている。尚、一対の放熱部３６の幅や長さは任意であるものとする。
【００３３】
ここで、放熱部３６の他の例について説明する。図４及び図５は放熱部３６の他の例を示すバスバー２２の展開図である。
【００３４】
図４において、バスバー２２は、第一ヒューズ回路構成体３１と、第二ヒューズ回路構成体３２と、一対の放熱部３６が形成された回路体連結板３３と、第二ヒューズ回路構成体３２に連成される端子接続部２８、２９とを有しており、回路体連結板３３の一対の放熱部３６には、回路体連結板３３の幅方向にのびる第二放熱部３７がそれぞれ折り曲げにより連成されている（第二放熱部３７の長さや配置等は一例であるものとする）。
【００３５】
バスバー２２は、第二放熱部３７を有することによって、このバスバー２２の露出する面積を増大させることができるようになっている。第二放熱部３７を有することで、空気中への放熱が進むことから、温度上昇をより一層抑制することができるようになっている。また、バスバー２２の放熱部３６や第二放熱部３７は、対向する第一ハウジング２３と第二ハウジング２４との間に配置されることから、特別な保護構造を設けなくても、ヒュージブルリンクユニットの搬送時やバッテリーへの組付け時に他の部材と接触して破損する恐れがないようになっている。
【００３６】
図５において、バスバー２２は、第一ヒューズ回路構成体３１と、第二ヒューズ回路構成体３２と、一対の放熱部３６が形成された回路体連結板３３と、第二ヒューズ回路構成体３２に連成される端子接続部２８、２９とを有しており、回路体連結板３３の一対の放熱部３６は、間隔をあけて回路体連結板３３に折り重なるような帯状の形状に形成されている。この例の場合も、温度上昇をより一層抑制することができるようになっている。尚、図中上側の放熱部３６は内側に、図中下側の放熱部３６は外側に折り重なるように形成されている（一例であるものとする）。
【００３７】
図６（ａ）を参照しながら放熱部３６に関して補足説明をすると、放熱部３６には折り曲げ量規制部分３８が形成されており、この折り曲げ量規制部分３８には、第一ハウジング２３と第二ハウジング２４とがそれぞれ当接するようになっている（バスバー２２を一対の折り曲げ溝３４の位置で折り曲げを施した場合に当接が生じる）。折り曲げ量規制部分３８を形成することにより、必要以上に第一ハウジング２３及び第二ハウジング２４（第一ヒューズ回路構成体３１及び第二ヒューズ回路構成体３２）同士が近づくことがないようになっている。従って、折り曲げ量規制部分３８に第一ハウジング２３と第二ハウジング２４とがそれぞれ当接することでハウジングを確実に矩形に折り曲げることができ、また、第一ハウジング２３と第二ハウジング２４の撓みを利用して、後述する係止突起３９と突起係止部４０との間にガタの無い係止状態に保持することができるようになっている。
【００３８】
折り曲げ量規制部分３８は、放熱部３６の側面に形成されており、図６（ａ）の場合は回路体連結板３３の平坦な面に対して直交する方向となるように形成されている。尚、図６（ｂ）に示すようなテーパ状に折り曲げ量規制部分３８を形成しても良いものとする。引用符号３９を係止突起、引用符号４０を突起係止部とすると、折り曲げ量規制部分３８は、第一ハウジング２３及び第二ハウジング２４同士の係止状態を良好に維持することができるようにもなっている。
【００３９】
図１及び図２において、第一ハウジング２３及び第二ハウジング２４は、インサート成形によって第一ヒューズ回路構成体３１及び第二ヒューズ回路構成体３２に設けられると、これらの部分がヒュージブルリンクユニット２１のボディを構成するようになっている。第一ハウジング２３には、係止突起３９が形成されており、また、第二ハウジング２４には、突起係止部４０が形成されている。係止突起３９が突起係止部４０に係止されて第一ハウジング２３及び第二ハウジング２４同士が係止状態になると、絶縁性を有する合成樹脂製のカバー２５〜２７がそれぞれ所定位置に取り付けられるようになり、カバー２５〜２７を取り付けると、ヒュージブルリンクユニット２１の組み付けが完了するようになっている。
【００４０】
以上、図１ないし図６を参照しながら説明してきたように、本発明のヒュージブルリンクユニット２１は、バスバー２２に放熱部３６を有することから、このバスバー２２の通電時において、放熱部３６を介して空気中への放熱が進み、これによってヒュージブルリンクユニット２１自体の温度上昇が抑制されるようになっている。従って、本発明のヒュージブルリンクユニット２１は、構造上、可溶体部３５の溶断特性に影響を来たし難いという効果を奏する。
【００４１】
また、本発明のヒュージブルリンクユニット２１は、バスバー２２に放熱部３６を有することから、第一ヒューズ回路構成体３１及び第二ヒューズ回路構成体３２の間隔が従来例と変わらない状態であっても、放熱効果を高めることができるという効果を奏する（例えば、寸法状の制約がある場合に、より効果的な発明となる）。
【００４２】
さらに、本発明のヒュージブルリンクユニット２１は、放熱部３６に折り曲げ量規制部分３８を形成することから、必要以上に第一ハウジング２３及び第二ハウジング２４同士の近づきがなく、さらには、第一ハウジング２３及び第二ハウジング２４同士の係止状態も良好に維持することができるという効果を奏する。
【００４３】
尚、折り曲げ量規制部分３８に当接させることにより、第一ハウジング２３及び第二ハウジング２４（第一ヒューズ回路構成体３１及び第二ヒューズ回路構成体３２）の位置が容易に決まることから、一対の折り曲げ溝３４の肉厚を薄肉化して曲げ易くする必要性はなく、また、薄肉化して位置決めをし易くする必要性もなく、結果、従来例よりも断面積の減少を抑制することができる。つまり、発熱を抑制することができるという効果を奏する。
【００４４】
この他、本発明は本発明の主旨を変えない範囲で種々変更実施可能なことは勿論である。
【図面の簡単な説明】
【００４５】
【図１】本発明のヒュージブルリンクユニットの一実施の形態を示す分解斜視図である。
【図２】ハウジング同士、第一ヒューズ回路構成体及び第二ヒューズ回路構成体同士を対向させる前のヒュージブルリンクユニットの状態を示す斜視図である。
【図３】（ａ）はバスバーの展開図、（ｂ）は放熱部のＡ−Ａ線断面図である。
【図４】放熱部の他の例を示すバスバーの展開図である。
【図５】（ａ）は放熱部の更に他の例を示すバスバーの展開図、（ｂ）は放熱部の断面図である。
【図６】（ａ）は放熱部の折り曲げ量規制部分とハウジング係止状態とを示す模式的な平面図、（ｂ）は折り曲げ量規制部分の他の例を示す模式的な平面図である。
【図７】従来例のヒュージブルリンクユニットを構成するバスバーの斜視図である。
【符号の説明】
【００４６】
２１  ヒュージブルリンクユニット
２２  バスバー
２３  第一ハウジング
２４  第二ハウジング
２５〜２７  カバー
２８、２９  端子接続部
３０  ボルト
３１  第一ヒューズ回路構成体
３２  第二ヒューズ回路構成体
３３  回路体連結板
３４  折り曲げ溝
３５  可溶体部
３６  放熱部
３７  第二放熱部
３８  曲げ量規制部分
３９  係止突起
４０  突起係止部
【図１】
0005028200.tif 000002
【図２】
0005028200.tif 000003
【図３】
0005028200.tif 000004
【図４】
0005028200.tif 000005
【図５】
0005028200.tif 000006
【図６】
0005028200.tif 000007
【図７】
0005028200.tif 000008